(57)【要約】      （修正有）【課題】室内の照明環境下でも十分に視認でき、同時に演出効果を飛躍的に向上できる照明付額縁を提供する。【解決手段】矩形ないし円形形状の筐体の外周壁面の中空内面に沿い近接して線状に設けられる光源４及び該光源近傍の該筐体縁辺部と底面の相対する各内面位置に設けられる一対の反射面、ならびに該筐体縁辺部に囲まれる中央に設けられるガラスあるいはアクリル等透明板３の組み合わせで、該筐体内部に設置される図画、写真、文書あるいは工作物等被照明体５を照射できるようにし、かつ該筐体の外周正面側縁辺部に適宜細孔８を設け該光源の光が洩れ出るようにしてなる。【選択図】図１
0003175812.tif 000002
【実用新案登録請求の範囲】
【請求項１】
矩形ないし円形形状の筐体の外周壁面の中空内面に沿い近接して線状に設けられる光源及び該光源近傍の該筐体縁辺部と底面の相対する各内面位置に設けられる一対の反射面ならびに該筐体縁辺部に囲まれる中央に設けられるガラスあるいはアクリル等透明板の組み合わせで、該筐体内部に設置される図画、写真、文書あるいは工作物等被照明体を照射できるようにし、かつ該筐体の外周正面側縁辺部に適宜細孔を設け該光源の光が洩れ出るようにしてなる照明付き額縁。
【請求項２】
請求項１に記載の照明付き額縁において同筐体の縁辺部がガラスあるいはアクリル等透明板とこれにマット紙等飾り縁が密着して構成される場合、後者に適宜細孔を設け該光源の光が洩れ出るようにしてなる照明付き額縁。
【請求項３】
請求項１および請求項２に記載の照明付き額縁において設けられる細孔の光が貫通する光路内にこの光を屈折、拡散もしくは色選択する機能を持つビーズ、シートあるいはフィルター等光透過性飾り物もしくは硬化性の光透過性接着剤を設けてなる照明付き額縁。
【考案の詳細な説明】
【技術分野】
【０００１】本考案は矩形ないし円形の箱型形状の額縁の縁辺内部に照明装置を持ち、その内部に装着される図画、写真、文書あるいは工作物等被照明体（以下被照明体）を照明する額縁、写真立て、表示板等（以下額縁等）の装置および方式に関するものである。
【背景技術】
【０００２】写真をフィルムや透明な樹脂板に特別の方法で半透明状態に印刷しその背面からいわゆるバックライト光源で照明する表示装置は従来から存在するが、近時図画、写真、文書あるいは工作物等の現物をそのまま照明表示する額縁や写真立てのようなフロントライト型の装置も開発され普及しつつある。
【考案の開示】
【０００３】本考案は、筐体外周壁面の中空内部に沿って設けられた光源で該筐体内に装着された被照明体を照明できる額縁の正面側縁辺部に光る装飾体を提供する。
【考案が解決しようとする課題】
【０００４】前述のような照明付き額縁は明るく照明された室内ではそれ以上に照度をあげないと被照明体の照明が目立たずその効果を発揮しにくい傾向にあった。単純に同額縁の光源照度を上げることは照明装置の肥大化や消費電力の増大を招き好ましくなく、できるだけ目的の使用状態に必要な最小限の光源を用いながら照明機能を商品として訴求できることが明るい環境下で求められる。
【課題を解決するための手段】
【０００５】本考案の照明付き額縁はその箱型筐体内に被照明体を装着し、その周囲の額縁縁辺部の内側に設けられた空間の外壁側に光源を収納しその近傍で該額縁縁辺部外側の正面側にこの光が洩れ出るような細孔を適宜穿ち設けることにより前記課題を解決しようとする。該光源は蛍光管や冷陰極管（ＣＣＦＬ）のような線状の発光体あるいは発光ダイオード（ＬＥＤ）を複数直線上に適宜並べたものを該額縁の一縁辺もしくは二縁辺以上の内部に設けて構成し、該光源から放射状に出射される光（主軸光）が直接的に該被照明体を照射すると同時に、直達しない光は該額縁の縁辺部及び向かい合う底面の内側で互いに相対するように設けられる一対の反射面で反射され該額縁正面側該細孔から洩れ出る。
【考案の効果】
【０００６】本考案により、額縁正面側の縁辺部の細孔からは額縁内部の照明用光源の光が拡散する以前の比較的高い照度で洩れ出る。これにより外部環境に負けない充分明るい光点が得られ、被照明体の画面が光源から離れて拡散して照度が低下しているため目立たない場合でも額縁縁辺部はよく目に付き照明付き額縁の存在を強く訴える効果が得られる。また、光源の色を変化させたり、この細孔を円形、星形等の各種形状にしたり、その光路にビーズや光透過性の飾り物を設けたりすることにより多彩な装飾演出効果もあげられる。本考案で簡易に図画、写真、文書や工作物等を照明できる額縁をより美しく演出し見る人に安らぎを与え、新商品分野の開拓が期待できる。
【実施例】
【０００７】以下、本考案を図１および図２の応用実施例について説明する。図１は本考案による装置の代表例としての矩形形状の照明付き額縁の構造の概略斜視図であり、図２は図１のＸ−Ｘ側断面図である。本装置の構造は主に該照明付き額縁筐体の本体（１）、額縁縁辺部（２）、額縁筐体上部中央の透明板（３）、筐体の底面（６）の主構造体と額縁縁辺部（２）の内面に設けられた照明用の光源（４）、近傍に設けられる一対の反射面（７）および細孔（８）、照明される図画、写真等被照明体（５）等で構成される。【０００８】図１におけるＹ−Ｙ線は該額縁本体（１）の筐体の紙面に垂直な概して長手方向を示し、額縁縁辺部（２）内に設置される光源（４）はその形態が蛍光管やＣＣＦＬ等線状光源とみなせる場合はその長手方向をこれと平行な方向に、複数のＬＥＤを適宜並べる場合は同様平行な直線上に適宜装着する。それぞれの配設状態を図１の左側縁辺部および右側縁辺部に破線で示す。【０００９】図２の側断面図の左辺が非光透過性の額縁縁辺部（２）の場合で、内部の線状光源（４）およびの同内側表面と相対する底面（６）表面で反射する一対の反射面（７）、それらの近傍で該額縁縁辺部（２）に穿ち設けられる細孔（８）の相互関係を示す。前記出射光はその光主軸方向は該筐体の透明板（３）もしくは底面（６）と平行方向であるがその周辺の光は前述の一対の反射面（７）で反射しその一部は前記細孔（８）を通して外部方向に洩れ放散される。ここに該細孔（８）の位置、形状および数等を適宜設けることにより外部正面の縁辺部にはほぼ光源（４）の照度に近い明るさの点状光源が得られる。なお、額縁縁辺部（２）の内側表面の反射面（７）にも前記細孔（８）と合う位置に細孔（８）が設けられる。【００１０】また図２の側断面図の右辺にはその原理を用いた別の応用例を示す。先述の額縁縁辺部（２）が同図のように該透明板（３）およびマット紙（２１）等飾り縁で構成される場合は後者に細孔（８）を設ける。反射面（７）は前述と同様に設けられるがこれの該マット紙（２１）側についても細孔（８）は同位置に設けられる。【００１１】以上述べた細孔（８）から洩れる光の効果をさらに高めるためにその光路内に飾り物（８１）を設けることもできる。これは例えば図１では破線のハート模様および図２では側断面で示すが主に光透過性のある樹脂やガラス製のビーズ、シートあるいはフィルム等で円形、ハート形、星形等のものを透明板（３）の表面に貼着して実現する。この材料には適宜着色して洩れ出る光にカラーフィルター効果で着色したり、屈折率の高い物にカットを施して輝く効果を演出させたりできる。その取り付け位置は前記のほかマット紙（２１）の細孔（８）の上もしくは下の面でもよい。また、飾り物（８１）に光透過性の硬化性接着剤を用い細孔（８１）内部に塗布しても独特の光拡散効果が得られる。なお、光源（４）に周期的に色の変化をさせると独特の演出効果がえられる。また、必要に応じて光拡散板（９）を図２のように光源（４）近傍の光主軸方向前方に適宜用いて被照明体（５）の照明をより均一化すると同時に既述の細孔（８）から洩れ出る光とのバランス調整を図ることも可能である。本照明付き額縁は図１および図２で例示したような矩形形状だけでなく円形等他の形状の物（図示せず）にも応用可能であり、かつ被照明体（５）が図画や、文書あるいは工作物等で光源（４）により前面から照明されるフロントライト方式だけでなく、被照明体（５）を透明性のフィルムに印刷された物とし額縁の透明体（３）に密着させ（図示せず）背面から照明するバックライト方式として用いることも可能で、細孔（８）からの鮮明な点光源効果は同様に発揮できる。
【図面の簡単な説明】
【００１２】
【図１】本考案に係る構造の概略斜視図である。
【図２】本考案の側面断面図（図１のＸ−Ｘ断面部）である。
【符号の説明】
【００１３】（１）本体    （２）縁辺部    （３）透明板    （４）光源    （５）被照明体
（６）底面    （７）反射面    （８）細孔    （９）光拡散板    （２１）マット紙
（８１）飾り物
【図１】
0003175812.tif 000003
【図２】
0003175812.tif 000004